(57)【要約】
【課題】飾り棚、テーブル、チェスト、キャビネットなどの家具モジュールを、使用者が容易に分解、組立てができると共に、増設や組み合わせの変更を容易に行うことができる組立式ユニット家具を提供する。
【解決手段】立設された複数の柱間に棚板２、天板３、チェスト４、キャビネット５などの家具モジュールを分解、組立可能に取り付けてなる組立式ユニット家具である。家具の隅位置に立設され、内側に固定金具１０を固定するための固定凹部６ａを設けた金属製の隅柱６と、家具の中寄りに立設され、内側に固定金具１０を固定するための固定凹部７ａを設けた金属製の中柱７と、柱の固定凹部６ａ，７ａに固定ねじ１８で締付固定される第一固定部１１と家具モジュールに固定凸部による嵌合または固定ねじにより固定される第二固定部１２を有したＬ形の固定金具１０と、を備えている。
【選択図】図１                                                                        
0003100124.tif 000002
【実用新案登録請求の範囲】
【請求項１】
　立設された複数の柱間に棚板、天板、チェスト、キャビネットなどの家具モジュールを分解、組立可能に取り付けてなる組立式ユニット家具であって、
　家具の隅位置に立設され、内側に固定金具を固定するための固定凹部を設けた金属製の隅柱と、
　家具の中寄りに立設され、内側に固定金具を固定するための固定凹部を設けた金属製の中柱と、
　該柱の固定凹部に対し固定ねじで締付固定される第一固定部と該家具モジュールに対し固定凸部による嵌合または固定ねじにより固定される第二固定部を有したＬ形の固定金具と、
　を備え、該固定金具は柱に対し平面内で所定の傾斜角度を持って内側に向けて固定されることを特徴とする組立式ユニット家具。                                                                       
【考案の詳細な説明】
【技術分野】
【０００１】
　本考案は、組立て式のユニット家具に関し、特に飾り棚、テーブル、チェストなどの家具モジュールを、簡単に充分な強度を持って組み立てることができ、各種の大きさや形状の部材を用意すれば、使用者が部屋の大きさにあった任意の大きさや形状の家具を組み立てることができる組立式ユニット家具に関する。
【背景技術】
【０００２】
　従来、飾り棚、テーブル、チェスト、キャビネットなどの家具モジュールを、組み立てて一体に形成する組立て式のユニット家具として、例えば、下記特許文献１に示すようなユニット家具が提案されている。
【特許文献１】特開平８−７０９３６号公報
【考案の開示】
【考案が解決しようとする課題】
【０００３】
　しかし、上記のユニット家具は、２本の柱を基本構成とし、下部に設置したキャビネットやチェストの両側に２本の柱を立設し、柱の上部に飾り棚などの上部棚を固定する構造である。このため、上部棚の荷重が２本の柱に不安定にかかり易く、上部棚と柱の固定は大形の固定金具と固定ボルトにより大きな強度をもって行う必要があり、このために、専用の工具と熟練した組立て技術を必要としていた。
【０００４】
　これにより、上記のユニット家具は、使用者が簡単に組み立てたり分解することが難しく、この種のユニット家具を購入した使用者が、部屋の模様替えなどの際に、家具の移動を行う場合、或いは家具の増設を行おうとした場合、容易にユニット家具を分解することができず、その分解や組立てを専門業者に依頼しなければならないという問題があった。
【０００５】
　本考案は、上述の課題を解決するものであり、飾り棚、テーブル、チェスト、キャビネットなどの家具モジュールを、使用者が容易に分解、組立てができると共に、増設や組み合わせの変更を容易に行うことができる組立式ユニット家具を提供することを目的とする。
【課題を解決するための手段】
【０００６】
　本考案に係る組立式ユニット家具は、立設された複数の柱間に棚板、天板、チェスト、キャビネットなどの家具モジュールを分解、組立可能に取り付けてなる組立式ユニット家具であって、家具の隅位置に立設され、内側に固定金具を固定するための固定凹部を設けた金属製の隅柱と、家具の中寄りに立設され、内側に固定金具を固定するための固定凹部を設けた金属製の中柱と、該柱の固定凹部に固定ねじで締付固定される第一固定部と該家具モジュールに固定凸部による嵌合または固定ねじにより固定される第二固定部を有したＬ形の固定金具と、を備え、該固定金具は柱に対し平面内で所定の傾斜角度を持って内側を向けて固定されることを特徴とする。
【考案の効果】
【０００７】
　本考案に係る組立式ユニット家具は、例えば四隅に隅柱を立設し、前後の隅柱間に例えば２対の中柱を立設する。各隅柱と各中柱には高さ方向に所定の間隔をおいて又は連続して固定凹部が設けられている。棚板、天板、チェスト、キャビネットなどの家具モジュールを固定する柱の高さ位置に、予めＬ形の固定金具をその固定凹部に嵌め込み、固定ねじで固定しておく。高さ方向に連続して形成された固定凹部の場合、各固定金具は任意の高さ位置にナット金具と固定ねじを用いて簡単に固定することができる。また、各固定金具は、柱に対し各棚板、天板などが装着される水平位置の平面内で内側を向けて所定の傾斜角度で固定される。
【０００８】
　したがって、棚板、天板などはその四隅をそれらの固定金具上に載置し、固定凸部の嵌め込みにより、又は固定ねじの締付により固定金具の第二固定部を棚板や天板に簡単に固定することができる。チェスト、キャビネットなども、その上部と下部の四隅を固定金具の第二固定部に固定して、４隅の隅柱または中間位置の中柱に対し、簡単に固定することができる。また、各種の長さの柱、各種の大きさの棚板、天板などを製作しておけば、使用者は、家具を入れる部屋の大きさに合わせて柱や棚板などを選択して、部屋の広さに応じて、収納する品物や家具の用途に応じて、様々な形状で大きさの家具を組立てにより作ることができ、さらに、家具の分解も固定金具を外せば簡単に行うことができるから、家具の移動も容易に行なうことができる。
【考案を実施するための最良の形態】
【０００９】
　以下、本考案の一実施形態を図面に基づいて説明する。図１は組立式ユニット家具の正面図を示し、図２はその左側面図を示している。このユニット家具１は、四隅に立設された４本の隅柱６と、それらの隅柱６の間に立設された４本の中柱７と、隅柱６及び中柱７の任意の位置に水平に装着された複数の棚板２と、中央位置の中柱７間に水平に装着された机用の天板３と、正面に向って右側下部の隅柱６と中柱７間に装着されたチェスト４と、正面に向って左側下部の隅柱６と中柱７間に装着されたキャビネット５と、を備えて組立可能に構成される。
【００１０】
　隅柱６は、図４の断面図に示すように、アルミニウムなどの軽金属を一定の断面を有し内部空間を有した柱状に成形されたもので、平面視において、正面と側面の直角の２面が平面状に形成され、内側に円弧状の曲面が形成されている。この内側の曲面に固定金具１０を固定するための固定凹部６ａが上下方向に連続して形成されている。固定凹部６ａの向きは、平面視で正面に対し内側に、つまり平面上で斜め４５度内側に向けて形成されている。したがって、固定金具１０は平面上で斜め４５度内側に向けて固定されることになる。また、この固定凹部６ａの奥の柱の内側に、隔壁を介してナット金具１３を保持する部分が形成され、この部分にナット金具１３が収納保持される。
【００１１】
　ナット金具１３は帯状金属板にねじ孔を穿設して形成され、隅柱６の固定凹部６ａに固定金具１０の第一固定部１１が嵌入された状態で、外側から固定ねじ１８が第一固定部１１からナット金具１３のねじ孔にねじ込まれ、これによって、固定金具１０が隅柱６に対し固定される。
【００１２】
　中柱７は、図３の断面図に示すように、アルミニウムなどの軽金属を一定の断面を有し内部空間を有した柱状に成形されたもので、平面視において、半円形状に形成され、外側に平坦面が形成され、内側に円弧状の曲面が形成されている。２つの固定凹部７ａの向きは、平面視で正面に対し内側に、つまり平面上で斜め４５度内側に向けて形成されている。したがって、固定金具１０は家具モジュールの平面上で斜め４５度内側に向けて固定されることになる。この内側の曲面の２箇所に固定金具１０を固定するための固定凹部７ａが上下方向に連続して形成されている。また、この固定凹部６ａの奥に、隔壁を介してナット金具１３を保持する部分が形成され、この部分にナット金具１３が収納保持される。
【００１３】
　ナット金具１３は帯状金属板にねじ孔を穿設して形成され、中柱７の固定凹部７ａに固定金具１０の第一固定部１１が嵌入された状態で、外側から固定ねじ１８が第一固定部１１からナット金具１３のねじ孔にねじ込まれ、これによって、固定金具１０が中柱７に対し固定される。図３に示すように、中柱７には平面視で２方向の固定金具１０が、正面に対し斜め４５度内側に向け、相互に９０度の間隔を開いて固定されることになる。
【００１４】
　なお、上記のナット金具１３は、通常の六角筒形のナット金具とすることもでき、この場合には、隅柱６の固定凹部６ａまたは中柱７の固定凹部７ａに穿設した孔にナット金具を嵌め込むようにすればよい。このように、固定凹部６ａ，７ａ内の適当な高さ位置に、固定ねじを挿入するための挿入孔を適当な間隔で穿設しておけば、柱の略任意の高さ位置に固定金具１０を固定することができる。
【００１５】
　固定金具１０は、図５、６に示すように、Ｌ形に形成され、一端が第一固定部１１として隅柱６の固定凹部６ａまたは中柱７の固定凹部７ａに挿入可能に形成され、他端が第二固定部１２として棚板２、天板３、チェスト４などの家具モジュールの底部又は底面に固定可能に形成される。第二固定部１２には、図５に示すように、固定凸部１２ａが上方に突出して形成され、固定凸部１２ａが嵌合する嵌合孔が棚板２或いは天板３などの底面に形成される。
【００１６】
　なお、図６に示すように、固定金具１０の第二固定部１２には、固定孔１２ｂを穿設することもでき、固定孔１２ｂを穿設した場合は、下側又は上側から差し込んだ固定ねじ１８により、棚板２、天板３、チェスト４などの家具モジュールの上面または底面に固定する。さらに、隅柱６と中柱７の底部には、図５に示すように、高さ調整具１４がねじ込まれ、柱の高さが調整可能とされる。
【００１７】
　このように構成された組立式ユニット家具は、例えば図１,２に示すように、四隅に隅柱６を立設し、前後の隅柱６間に２対の中柱７を立設する。そして、各隅柱６と各中柱７には、高さ方向に所定の間隔をおいて、多数の固定金具１０が柱の固定凹部６ａ，７ａに第一固定部１１を嵌め込んで固定される。つまり、それらの固定金具１０は、棚板２、天板３、チェスト４、キャビネット５などの家具モジュールを固定する柱の高さ位置に、予めＬ形の固定金具１０の第一固定部１１をその固定凹部６ａ，７ａに嵌め込み、図５、６のように、固定ねじ１８で固定しておく。高さ方向に連続して形成された固定凹部６ａ，７ａの場合、各固定金具１０は任意の高さ位置にナット金具１３と固定ねじ１８を用いて簡単に固定することができる。また、各固定金具１０は、隅柱６、中柱７に対し各棚板２、天板３などが装着される水平位置の平面内で内側を向けて所定の傾斜角度（ここでは４５度）で固定される。
【００１８】
　そして、これらの固定金具１０の第二固定部１２の上に、棚板２、天板３、チェスト４、キャビネット５などの家具モジュールが載置され、固定される。固定金具１０は、その第二固定部１２が内側で中央をむけて平面内に配設されているため、簡単に且つ安定して家具モジュールを組み付け固定することができる。
【００１９】
　そして、これらの棚板２、天板３、チェスト４、キャビネット５などの家具モジュールを隅柱６または中柱７間に配置して固定することにより、各隅柱６と中柱７は所定の位置に立設されることとなる。また、図２に示すように、隅柱６と隅柱６の任意の位置に、サイド板１５がガードパネルなどとして取り付けられるが、このようなサイド板１５は、図７に示すように、隅柱６の固定凹部６ａに嵌入可能で且つ両側に挿入固定部１９ａを設けたサイド板固定具１９を使用して、隅柱６と隅柱６間に取り付けることができる。さらに、中央に位置する中柱７と中柱７間に補強フレーム１６がクロス状にそれらを連結するように取り付けられる。また、天板３の下側に、キーボード用天板１７が引出し可能に取り付けられる。
【００２０】
　このように、本ユニット家具は、棚板２、天板３、チェスト４などの家具モジュールを隅柱６と隅柱６間、隅柱６と中柱７間、または中柱７と中柱７間に配置して、固定金具１０によりそれらを相互に固定するように構成されるから、使用する各家具モジュール、隅柱６、中柱７の数や大きさに応じて、小形から大形まで各種の大きさのユニット家具を、固定金具１０と固定ねじ１８を用いて簡単に組み立てることができる。また、各種の長さの柱、各種の大きさの棚板、天板などを製作しておけば、使用者は、家具を入れる部屋の大きさに合わせて柱や棚板などを選択して、部屋の広さに応じて、収納する品物や家具の用途に応じて、様々な形状で大きさの家具を組立てにより作ることができる。
【００２１】
　図８〜図１０は他の実施形態のユニット家具を示し、このユニット家具は、高さの低い隅柱２６、中柱２７を使用して、高さの低い家具を構成している。即ち、図８〜１０に示すように、このユニット家具は、正面にデスク用の天板２２が配置され、向って右側にコーナー用の天板２３が配置され、向って左側にチェスト用の天板２４が配設され、その天板２４の下方にチェスト２５が装着され、それらの天板２２,２３,２３、及びチェスト２５の各家具モジュールが隅柱２６と中柱２７との間で固定されている。
【００２２】
　コーナー用の天板２３は、異形の五角形に形成され、そのうちの３個のコーナー部に、高さの低い隅柱２６が立設され、左側に中柱２７が立設され、上記と同様の固定金具１０を使用して、各隅柱２６と中柱２７に対し天板２３が固定される。また、コーナー用の天板２３の下側に、棚板２８，２８が水平に装着され、これらの棚板２８，２８も上記の固定金具１０により各隅柱２６と中柱２７間に固定される。また、中央のデスク用の天板２２は、その四隅が対応位置に立設された中柱２７に上記の固定金具１０よって固定支持され、天板２２の下側にキーボード用天板３７が引出し可能に装着される。
【００２３】
　この天板２２も、上記と同様の固定金具１０と固定ねじ１８を用いて、各隅柱２６と中柱２７間に簡単に固定することができる。さらに、チェスト用の天板２４は、矩形形状に形成され、その左側の２個のコーナー部に、高さの低い隅柱２６が立設され、右側に２本の中柱２７が立設され、上記と同様に固定金具１０と固定ねじ１８を使用して、その天板２４は各隅柱２６と中柱２７間に水平に固定される。チェスト用の天板２４の下側には、チェスト２５が、やはり上記の固定金具１０と固定ねじ１８により、各隅柱２６と中柱２７間に固定される。
【００２４】
　このように、高さの低い隅柱２６と中柱２７を用いて、全体に高さの低いユニット家具２１を形成することができ、このユニット家具２１も、上記と同様に、固定金具１０を隅柱２６と中柱２７の固定凹部の任意の位置に固定ねじ１８で固定しておき、そこに天板２２〜２４、チェスト２５、棚板２８などを、簡単に固定することができる。
【００２５】
　このように、棚板、天板、チェスト、キャビネットなどの家具モジュールは、家具の四隅などに立設された隅柱または中柱に対し固定金具と固定ねじを用いて固定することにより、ユニット家具を組み立てることができるから、各種の大きさの棚板、天板などを製作しておけば、使用者は、家具を入れる部屋の大きさに合わせて柱や棚板などを選択して、部屋の広さに応じて、収納する品物や家具の用途に応じて、様々な形状で大きさの家具を組立てにより作ることができる。さらに、各家具モジュールは、固定金具と固定ねじを外せば、簡単に分解することができ、分解によって家具の移動も容易に行なうことができる。
【００２６】
　なお、上記実施形態では、固定ねじを締め付けるために、板状のナット金具を柱の固定凹部に取り付けたが、そのナット金具に代えて、カシメ固定用のナットを、固定凹部に設けた孔にカシメ固定することもできる。
【図面の簡単な説明】
【００２７】
【図１】本考案の一実施形態を示すユニット家具の正面図である。
【図２】同ユニット家具の左側面図である。
【図３】図１のIII-III拡大断面図である。
【図４】図１のIV-IV拡大断面図である。
【図５】隅柱６の下部に固定した固定金具１０の拡大断面図である。
【図６】隅柱６に固定した固定金具１０の拡大斜視図である。
【図７】隅柱６のサイド板固定具近傍の断面図である。
【図８】他の実施形態のユニット家具の正面図である。
【図９】同ユニット家具の左側面図である。
【図１０】同ユニット家具の平面図である。
【符号の説明】
【００２８】
　１,２１−ユニット家具
　２−棚板
　３−天板
　４−チェスト
　５−キャビネット
　６−隅柱
　６ａ−固定凹部
　７−中柱
　７ａ−固定凹部
　１０−固定金具
　１１−第一固定部
　１２−第二固定部
　１３−ナット金具                                                                        
【図１】
0003100124.tif 000003
【図２】
0003100124.tif 000004
【図３】
0003100124.tif 000005
【図４】
0003100124.tif 000006
【図５】
0003100124.tif 000007
【図６】
0003100124.tif 000008
【図７】
0003100124.tif 000009
【図８】
0003100124.tif 000010
【図９】
0003100124.tif 000011
【図１０】
0003100124.tif 000012